(57)【要約】      （修正有）【課題】操作が便利で、かつ脱落防止機能のあるマルチメディアインターフェイスの嵌め掛け式コネクターを提供する。【解決手段】結合できるオス結合ユニット、メス結合ユニット、前記オス結合ユニットに定位置される嵌め掛け部材、及び前記メス結合ユニットに設置される嵌め付け部材を含む。嵌め掛け部材にはオス結合ユニットに相対して移動する掛け部があり、嵌め付け部材には掛け部が分離可能に嵌め付け干渉を起こる嵌め合わせ部がある。オス結合ユニットとメス結合ユニットが互いに結合した場合、嵌め掛け部材の掛け部と嵌め付け部材の嵌め合わせ部が互いに掛け嵌められることによってオス結合ユニットとメス結合ユニットの互いに離脱することが防止される。【選択図】図１
0003116597.tif 000002
【実用新案登録請求の範囲】
【請求項１】
ＨＤＭＩの嵌め掛け式コネクターで、互いに結合できるオス結合ユニット及びメス結合ユニットを含み、  前記ＨＤＭＩの嵌め掛け式コネクターは更に前記オス結合ユニットに定位置される嵌め掛け部材及び前記メス結合ユニットに設置される嵌め付け部材を含み、前記嵌め掛け部材には前記オス結合ユニットに相対して移動する掛け部があり、前記嵌め付け部材には掛け部が分離可能に嵌め付け干渉を起こす嵌め合わせ部があり、前記オス結合ユニットとメス結合ユニットが互いに結合した場合、前記嵌め掛け部材の掛け部と嵌め付け部材の嵌め合わせ部が互いに掛け嵌められることによってオス結合ユニットとメス結合ユニットの互いに離脱することが防止される、ＨＤＭＩの嵌め掛け式コネクター。
【請求項２】
前記嵌め掛け部材には掛け部と逆手端に位置する押し付け部と、掛け部と押し付け部の間に位置してオス結合ユニットに枢接される枢接部があり、押し付け部が施力されるかされないかによって前記掛け部の位置が制御される、請求項１に記載のＨＤＭＩの嵌め掛け式コネクター。
【請求項３】
前記嵌め掛け部材には更に前記押し付け部から延伸する弾性部があり、前記弾性部はオス結合ユニットに当て付けられ、押し付け部が下へ圧迫されると変形して押し付け部に元の位置に回復する力を提供する、請求項２に記載のＨＤＭＩの嵌め掛け式コネクター。
【請求項４】
前記嵌め付け部材には更にねじ部があり、前記ねじ部によつて嵌め付け部材はメス結合ユニットに締め付けられる、請求項１に記載のＨＤＭＩの嵌め掛け式コネクター。
【考案の詳細な説明】
【技術分野】
【０００１】
本考案はＨＤＭＩの嵌め掛け式コネクターの一種に関するもので、特にデジタルビデオ信号の伝送に使われる電気コネクターに関するものである。
【背景技術】
【０００２】
現在の液晶ディスプレーまたはその他デジタルビデオ信号装置のビデオ信号接続インターフェイスについて、ＨＤＭＩインターフェイスは逐次幅広く応用されていると言えるが、一般のＨＤＭＩインターフェイスのコネクターには脱落防止の構造設計がなく、例えば一つのオスジョイントと対応するメス台が互いに結合されても、移動または挿入不完全時に互いに脱落することが発生する。
【０００３】
ところがもしねじ締め付け方式によってオスジョイントと対応のメス台を固定した場合、使用時に不便が生じることがあり、それの主な原因はＨＤＭＩのコネクターは通常デジタルビデオ家電の裏側に使われ、デジタルビデオ家電は一般に壁に近付いて置かれるので、もしねじ締め付け方式で固定されると、見えないかつ空間の狭い状況に於いて、ＨＤＭＩコネクターの固定と取り外しの操作はかなり難しくなる。
【考案の開示】
【考案が解決しようとする課題】
【０００４】
上述により、本考案の主な目的は操作が便利で、かつ脱落防止機能のあるＨＤＭＩの嵌め掛け式コネクターの提供である。
【０００５】
そこで、上述目的を達成するため、本考案のＨＤＭＩの嵌め掛け式コネクターは互いに結合できるオス結合ユニット、メス結合ユニット、オス結合ユニットに定位置される嵌め掛け部材、及びメス結合ユニットに設置される嵌め付け部材を含む。嵌め掛け部材にはオス結合ユニットに相対して移動する掛け部があり、嵌め付け部材には掛け部が分離可能に嵌め付け干渉を起こす嵌め合わせ部があり、オス結合ユニットとメス結合ユニットが互いに結合した場合、嵌め掛け部材の掛け部と嵌め付け部材の嵌め合わせ部が互いに掛け嵌められることによってオス結合ユニットとメス結合ユニットの互いに離脱することが防止される。
【考案の効果】
【０００６】
オス結合ユニットとメス結合ユニットが互いに結合したとき、嵌め掛け部材の掛け部と嵌め付け部材の嵌め合わせ部とを互いに掛け嵌めることにより、簡単に接続でき、しかもオス結合ユニットとメス結合ユニットの間の離脱を防止できる。
【考案を実施するための最良の形態】
【０００７】
本考案が上述目的、特徴を達成するために採用した技術手段及び効果について、ここに最適実施例を取り上げ、図面と合わして次の如く説明する。
【０００８】
図１及び図２を参照ください。本考案のＨＤＭＩの嵌め掛け式コネクターの最適実施例はオス結合ユニット１、メス結合ユニット２前記オス結合ユニット１に定位置される嵌め掛け部材３、及び前記メス結合ユニット２に設置される嵌め付け部材４が含まれる。
【０００９】
本実施例に於いてオス結合ユニット１はＨＤＭＩインターフェイスの仕様に符合する電線であり、メス結合ユニット２はオス結合ユニット１との結合に供されるソケットである。
【００１０】
嵌め掛け部材３は開口状に現れ、かつオス結合ユニット１に相対して移動する掛け部３１、掛け部３１と逆手端に位置する押し付け部３２、掛け部３１と押し付け部３２の間に位置してオス結合ユニット１に枢接される枢接部３３、及び押し付け部３２の下側から延伸する弾性部３４があり押し付け部３２によって使用者に施力個所を提供し、並びに対応して掛け部３１の上下にある位置を制御することができ、弾性部３４はオス結合ユニット１に当て付けられ、押し付け部３２が下へ圧迫され、または掛け部３１が上へ押し付けられると変形し、更に押し付け部３２に元の位置に回復する力を提供する。
【００１１】
嵌め付け部材４にはきのこ状に現れて掛け部３１が分離可能に掛け付け干渉を起こす嵌め合わせ部４１及び嵌め合わせ部４１の逆手端に位置するねじ部４２があり、ねじ部４２によって前記嵌め付け部材４はメス結合ユニット２に締め付けられる。
【００１２】
図３及び図４に示す如く、オス結合ユニット１とメス結合ユニット２が互いに接近して対応に結合した場合、嵌め付け部材４のきのこ状に現れる嵌め合わせ部４１は先ず嵌め掛け部材３の掛け部３１を上へ押し上げ、開口状に現れる掛け部３１が嵌め合わせ部４１を容置して互いに嵌め付け、こうすればオス結合ユニット１とメス結合ユニット２は互いに離脱しなくなる。
【００１３】
オス結合ユニット１とメス結合ユニット２を互いに離脱させる場合、嵌め掛け部材３の押し付け部３２を押し下げ、掛け部３１は対応して上へ移動すれば掛け部３１と嵌め合わせ部４１は離脱し、オス結合ユニット１はメス結合ユニット２から離脱する。
【００１４】
上述をまとめると、本考案の「ＨＤＭＩの嵌め掛け式コネクター」は確かに上述構造によって予期した効果を達成することができる。また、上述した実施例は一例であり、様々な変更や改良が考えられる。
【産業上の利用可能性】
【００１５】
本考案はデジタルビデオ信号の送受信に使われる種々の電気コネクターに利用できる。
【図面の簡単な説明】
【００１６】
【図１】本考案のＨＤＭＩの嵌め掛け式コネクターの最適実施例を示す分解斜視図である。
【図２】最適実施例の組み合わせた状態を示す斜視図である。
【図３】図２の側面図である。
【図４】図３の嵌め合わせを解除した状態を示す側面図である。
【符号の説明】
【００１７】
１    オス結合ユニット                ２    メス結合ユニット
３    嵌め掛け部材                  ３４    弾性部材
３１    掛け部                          ４    嵌め付け部材
３２    押し付け部                    ４１    嵌め合わせ部
３３    枢接部                          ４    ねじ部
【図１】
0003116597.tif 000003
【図２】
0003116597.tif 000004
【図３】
0003116597.tif 000005
【図４】
0003116597.tif 000006
【手続補正書】
【提出日】平成17年9月5日(2005.9.5)
【手続補正１】
【補正対象書類名】実用新案登録請求の範囲
【補正対象項目名】全文
【補正方法】変更
【補正の内容】
【実用新案登録請求の範囲】
【請求項１】
マルチメディアインターフェイスの嵌め掛け式コネクターで、互いに結合できるオス結合ユニット及びメス結合ユニットを含み、  前記マルチメディアインターフェイスの嵌め掛け式コネクターは更に前記オス結合ユニットに定位置される嵌め掛け部材及び前記メス結合ユニットに設置される嵌め付け部材を含み、前記嵌め掛け部材には前記オス結合ユニットに相対して移動する掛け部があり、前記嵌め付け部材には掛け部が分離可能に嵌め付け干渉を起こす嵌め合わせ部があり、前記オス結合ユニットとメス結合ユニットが互いに結合した場合、前記嵌め掛け部材の掛け部と嵌め付け部材の嵌め合わせ部が互いに掛け嵌められることによってオス結合ユニットとメス結合ユニットの互いに離脱することが防止される、マルチメディアインターフェイスの嵌め掛け式コネクター。
【請求項２】
前記嵌め掛け部材には掛け部と逆手端に位置する押し付け部と、掛け部と押し付け部の間に位置してオス結合ユニットに枢接される枢接部があり、押し付け部が施力されるかされないかによって前記掛け部の位置が制御される、請求項１に記載のマルチメディアインターフェイスの嵌め掛け式コネクター。
【請求項３】
前記嵌め掛け部材には更に前記押し付け部から延伸する弾性部があり、前記弾性部はオス結合ユニットに当て付けられ、押し付け部が下へ圧迫されると変形して押し付け部に元の位置に回復する力を提供する、請求項２に記載のマルチメディアインターフェイスの嵌め掛け式コネクター。
【請求項４】
前記嵌め付け部材には更にねじ部があり、前記ねじ部によつて嵌め付け部材はメス結合ユニットに締め付けられる、請求項１に記載のマルチメディアインターフェイスの嵌め掛け式コネクター。
【手続補正２】
【補正対象書類名】明細書
【補正対象項目名】全文
【補正方法】変更
【補正の内容】
【考案の詳細な説明】
【技術分野】
【０００１】  本考案はマルチメディアインターフェイスの嵌め掛け式コネクターの一種に関するもので、特にデジタルビデオ信号の伝送に使われる電気コネクターに関するものである。
【背景技術】
【０００２】  現在の液晶ディスプレーまたはその他デジタルビデオ信号装置のビデオ信号接続インターフェイスについて、マルチメディアインターフェイスは逐次幅広く応用されていると言えるが、一般のマルチメディアインターフェイスのコネクターには脱落防止の構造設計がなく、例えば一つのオスジョイントと対応するメス台が互いに結合されても、移動または挿入不完全時に互いに脱落することが発生する。【０００３】  ところがもしねじ締め付け方式によってオスジョイントと対応のメス台を固定した場合、使用時に不便が生じることがあり、それの主な原因はマルチメディアインターフェイスのコネクターは通常デジタルビデオ家電の裏側に使われ、デジタルビデオ家電は一般に壁に近付いて置かれるので、もしねじ締め付け方式で固定されると、見えないかつ空間の狭い状況に於いて、マルチメディアインターフェイスコネクターの固定と取り外しの操作はかなり難しくなる。
【考案の開示】
【考案が解決しようとする課題】
【０００４】  上述により、本考案の主な目的は操作が便利で、かつ脱落防止機能のあるマルチメディアインターフェイスの嵌め掛け式コネクターの提供である。【０００５】  そこで、上述目的を達成するため、本考案のマルチメディアインターフェイスの嵌め掛け式コネクターは互いに結合できるオス結合ユニット、メス結合ユニット、オス結合ユニットに定位置される嵌め掛け部材、及びメス結合ユニットに設置される嵌め付け部材を含む。嵌め掛け部材にはオス結合ユニットに相対して移動する掛け部があり、嵌め付け部材には掛け部が分離可能に嵌め付け干渉を起こす嵌め合わせ部があり、オス結合ユニットとメス結合ユニットが互いに結合した場合、嵌め掛け部材の掛け部と嵌め付け部材の嵌め合わせ部が互いに掛け嵌められることによってオス結合ユニットとメス結合ユニットの互いに離脱することが防止される。
【考案の効果】
【０００６】オス結合ユニットとメス結合ユニットが互いに結合したとき、嵌め掛け部材の掛け部と嵌め付け部材の嵌め合わせ部とを互いに掛け嵌めることにより、簡単に接続でき、しかもオス結合ユニットとメス結合ユニットの間の離脱を防止できる。
【考案を実施するための最良の形態】
【０００７】  本考案が上述目的、特徴を達成するために採用した技術手段及び効果について、ここに最適実施例を取り上げ、図面と合わして次の如く説明する。【０００８】  図１及び図２を参照ください。本考案のマルチメディアインターフェイスの嵌め掛け式コネクターの最適実施例はオス結合ユニット１、メス結合ユニット２前記オス結合ユニット１に定位置される嵌め掛け部材３、及び前記メス結合ユニット２に設置される嵌め付け部材４が含まれる。【０００９】  本実施例に於いてオス結合ユニット１はマルチメディアインターフェイスの仕様に符合する電線であり、メス結合ユニット２はオス結合ユニット１との結合に供されるソケットである。【００１０】  嵌め掛け部材３は開口状に現れ、かつオス結合ユニット１に相対して移動する掛け部３１、掛け部３１と逆手端に位置する押し付け部３２、掛け部３１と押し付け部３２の間に位置してオス結合ユニット１に枢接される枢接部３３、及び押し付け部３２の下側から延伸する弾性部３４があり押し付け部３２によって使用者に施力個所を提供し、並びに対応して掛け部３１の上下にある位置を制御することができ、弾性部３４はオス結合ユニット１に当て付けられ、押し付け部３２が下へ圧迫され、または掛け部３１が上へ押し付けられると変形し、更に押し付け部３２に元の位置に回復する力を提供する。【００１１】  嵌め付け部材４にはきのこ状に現れて掛け部３１が分離可能に掛け付け干渉を起こす嵌め合わせ部４１及び嵌め合わせ部４１の逆手端に位置するねじ部４２があり、ねじ部４２によって前記嵌め付け部材４はメス結合ユニット２に締め付けられる。【００１２】  図３及び図４に示す如く、オス結合ユニット１とメス結合ユニット２が互いに接近して対応に結合した場合、嵌め付け部材４のきのこ状に現れる嵌め合わせ部４１は先ず嵌め掛け部材３の掛け部３１を上へ押し上げ、開口状に現れる掛け部３１が嵌め合わせ部４１を容置して互いに嵌め付け、こうすればオス結合ユニット１とメス結合ユニット２は互いに離脱しなくなる。【００１３】  オス結合ユニット１とメス結合ユニット２を互いに離脱させる場合、嵌め掛け部材３の押し付け部３２を押し下げ、掛け部３１は対応して上へ移動すれば掛け部３１と嵌め合わせ部４１は離脱し、オス結合ユニット１はメス結合ユニット２から離脱する。【００１４】  上述をまとめると、本考案の「マルチメディアインターフェイスの嵌め掛け式コネクター」は確かに上述構造によって予期した効果を達成することができる。また、上述した実施例は一例であり、様々な変更や改良が考えられる。
【産業上の利用可能性】
【００１５】  本考案はデジタルビデオ信号の送受信に使われる種々の電気コネクターに利用できる。
【図面の簡単な説明】
【００１６】
【図１】本考案のマルチメディアインターフェイスの嵌め掛け式コネクターの最適実施例を示す分解斜視図である。
【図２】最適実施例の組み合わせた状態を示す斜視図である。
【図３】図２の側面図である。
【図４】図３の嵌め合わせを解除した状態を示す側面図である。
【符号の説明】
【００１７】        １    オス結合ユニット                ２    メス結合ユニット        ３    嵌め掛け部材                  ３４    弾性部材      ３１    掛け部                          ４    嵌め付け部材      ３２    押し付け部                    ４１    嵌め合わせ部      ３３    枢接部                          ４    ねじ部